(57)【特許請求の範囲】
【請求項１】
電柱間架設線の旧線を新線に張替える電柱間架設線の張替え工法であって、
撤去すべき前記旧線に、送り柱側から、長手方向全長に亘りスリットが設けられたプラスチックからなる筒状のカバー部材を順次被着させると共に、前記カバー部材の長手方向端部にて前記スリットが閉じた状態を保持するように取り付けた吊金具にパイロットロープを係止或いは挿通させて前記カバー部材と同時に前記パイロットロープを受け柱側へと送り出すカバー部材取付工程と、
前記受け柱に前記パイロットロープの先端を固定すると共に、前記パイロットロープの根元側を前記送り柱に固定するパイロットロープ張線工程と、
前記送り柱における前記旧線の固定を解くと共に、解いた前記旧線の端部に新設する新線の先端を連結し、前記カバー部材の内部を通して前記旧線を前記受け柱側に引き抜くと同時に、前記新線を前記受け柱側へと送り出し、前記受け柱に前記新線の先端を固定した後、所定のテンションに張線した前記新線の後端を前記送り柱に固定する架設線取替工程と、
前記受け柱及び送り柱におけるパイロットロープの固定を解いた後、カバー部材、吊金具及びパイロットロープを撤去する張替え工具撤去工程とで構成されていることを特徴とする電柱間架設線の張替え工法。
【請求項２】
前記パイロットロープ張線工程において、前記パイロットロープを、前記受け柱及び前記送り柱に固定する際に、前記旧線よりも上方であって、前記カバー部材の内部底面に前記旧線が接する高さに固定することを特徴とする請求項１に記載の電柱間架設線の張替え工法。
【請求項３】
電柱間架設線の張替えに用いる張替え工具であって、
プラスチックからなり長手方向全長に亘りスリットが設けられ、電柱間に張設された旧線に前記スリットを通って取り付けられる筒状の本体と、前記本体の長手方向両端部において前記スリットに沿って前記本体の径方向に突出すると共に前記スリットを介して対面する一対の舌片部と、前記一対の舌片部を前記本体の周方向にて貫通する貫通孔とを有するカバー部材、
電柱間に架設されるパイロットロープ、及び
前記貫通孔に着脱可能で、電柱間に架設されたパイロットロープが挿通され、カバー部材をパイロットロープに吊り下げる吊金具とで構成されたことを特徴とする張替え工具。
【請求項４】
前記吊金具は、カラビナ構造を有する上下２段の環状部からなり、一方の環状部は前記貫通孔に着脱され、他方の環状部には前記パイロットロープが係止或いは挿通されることを特徴とする請求項３に記載の張替え工具。
【請求項５】
前記パイロットロープがスーパー繊維で構成されていることを特徴とする請求項３又は４に記載の張替え工具。
【発明の詳細な説明】
【技術分野】
【０００１】
本発明は、電柱間に架設された水平支線や電線などの電柱間架設線の旧線を新線に張替える工法と係る工法を施工するための張替え工具とに関する。
【背景技術】
【０００２】
電柱間に架設された水平支線や電線などの電柱間架設線は、屋外の厳しい環境に長期間曝され続けている。係る環境下にある電柱間架設線には劣化や破損などが生じる虞があり、劣化や破損が生じたものは交換(張替え)が必要である。
【０００３】
例えば、電線の張力を打ち消す目的で電柱間に張られている水平支線は、大略、亜鉛めっき鋼より線と玉碍子と支線バンドとで構成されており、経年と共に(主として亜鉛めっき鋼より線における)発錆の拡大や素線切れ等の劣化が生じ、係る劣化が著しいものは張替えが必要になる。
【０００４】
ここで、著しい劣化が生じた水平支線等の電柱間架設線の旧線を新線に張替える方法として、従来より以下の工法が行われている。すなわち、まず始めに、電柱間架設線両端の電柱に新線用の支線バンドを取り付け、新線が電柱間に架設されている引込線などと交差しないように、地上より導綱を投げて引込線を交わす。続いて、先端を支持バンドの位置まで持ち上げた導綱の後端と新線の先端とをつなぎ、導綱を手繰り寄せることにより新線を地上から電柱の支線バンドの位置まで引き上げる。そして、新線が所定のテンションと成るように張線して支持バンドに固定し、引込線などと接触しないようにしながら旧線を撤去して張替え作業が完了する。
【０００５】
このような従来の電柱間架設線の張替え工法には以下のような問題があった。すなわち、上記従来の工法では、新線への張替え時に導綱や新線を電柱間に垂れ下げる必要があったため、交通量の多い道路横断箇所や民地の上空等では張替え作業が困難になると云う問題があった。又、引込線毎に導綱を交わす必要があり作業が非効率となるのに加え、張替える電柱間架設線の上昇や降下時に、張替え対象の電柱間架設線の下に施設されている低圧電線や引込線或いは通信線や家屋等に接触し、これらを破損させる虞もあった。
【０００６】
そこで、以上のような問題を解決し得る技術として、張替え対象の旧線に滑車ローラーを多数設置したり、吊り金車とロープを敷設するための自走機を走らせたりして新線が旧線に沿うようにして送り出す技術が提案されている(例えば、特許文献１及び２参照。)。
【０００７】
係る技術を用いれば、新線への張替え時に旧線や新線等を電柱間に垂れ下げる必要がなくなり、交通量が多い道路横断箇所や民地の上空であっても何不自由なく張替え作業を行なうことができるようになる。
【先行技術文献】
【特許文献】
【０００８】
【特許文献１】特開昭６１−１６１９１０号公報
【特許文献２】特開昭６０−１１８００６号公報
【発明の概要】
【発明が解決しようとする課題】
【０００９】
しかしながら、張替え対象の旧線に滑車ローラーを多数設置したり自走機を走らせる上記技術では、ある程度の重量がある滑車ローラーや自走機等を旧線が架設されている電柱の高い位置まで持ち上げなければならないが、滑車ローラーや自走機と云った重量物を電柱の上まで持ち上げることは極めて重労働であり、依然として安全性や作業効率の点で問題があった。
【００１０】
また、例えば電柱間架設線の１つである水平支線には、上述したように玉碍子が取り付けられているが、滑車ローラーや自走機はこの玉碍子を乗り越えて通過することができないか、或いは通過が極めて困難であることから、水平支線の張替えにはこれらの工法が使えないか、或いは使い辛いと云う問題もあった。
【００１１】
さらに、張替えの対象が大型の鉄塔間に架設された送電線であれば何ら問題はないが、街中の比較的小さな電柱間に架設された水平支線などを張替える際に、ある程度の重量がある滑車ローラーを多数設置したり、自走機等を走行させたりすると、電柱間架設線を介して電柱に過大且つ不所望なテンションが掛かるようになり、最悪の場合には係るテンションによって電柱が傾倒するようになると云った問題も生じ得る。
【００１２】
それゆえに、本発明の主たる課題は、新線への張替え時に旧線や新線等が電柱間に垂れ下がることがなく、交通量が多い道路横断箇所や民地の上空であっても何不自由なく張替え作業できるのに加え、安全性や作業効率にも優れた電柱間架設線の張替え工法と、係る工法を実行可能な張替え工具とを提供することである。
【課題を解決するための手段】
【００１３】
本発明における第１の発明は、電柱間架設線の旧線１６を新線３０に張替える電柱間架設線の張替え工法であって、
（ａ）撤去すべき前記旧線１６に、送り柱２４側から、長手方向全長に亘りスリット１８が設けられたプラスチックからなる筒状のカバー部材１０を順次被着させると共に、前記カバー部材１０の長手方向端部にて前記スリット１８が閉じた状態を保持するように取り付けた吊金具１２にパイロットロープ１４を係止或いは挿通させて前記カバー部材１０と同時に前記パイロットロープ１４を受け柱２６側へと送り出すカバー部材取付工程と、
（ｂ）前記受け柱２６に前記パイロットロープ１４の先端を固定すると共に、前記パイロットロープ１４の根元側を前記送り柱２４に固定するパイロットロープ張線工程と、
（ｃ）前記送り柱２４における前記旧線１６の固定を解くと共に、解いた前記旧線１６の端部に新設する新線３０の先端を連結し、前記カバー部材１０の内部を通して前記旧線１６を前記受け柱２６側に引き抜くと同時に、前記新線３０を前記受け柱２６側へと送り出し、前記受け柱２６に前記新線３０の先端を固定した後、所定のテンションに張線した前記新線３０の後端を前記送り柱２４に固定する架設線取替工程と、
（ｄ）前記受け柱２６及び送り柱２４におけるパイロットロープ１４の固定を解いた後、カバー部材１０、吊金具１２及びパイロットロープ１４を撤去する張替え工具撤去工程とで構成されている
（ｅ）ことを特徴とする電柱間架設線の張替え工法、である。
【００１４】
この発明では、撤去すべき旧線１６に、送り柱２４側から受け柱２６側に向けてプラスチック製の筒状のカバー部材１０を順次被着させ、このカバー部材１０の内部を通して旧線１６と新線３０との張替えを行なうので、電柱２４、２６間に電柱間架設線等を垂れ下げることなく、旧線１６を新線３０に張替えることができる。また、旧線１６に被着させるカバー部材１０は、軽量なプラスチック製であり、電柱２４の上まで比較的容易に持ち上げることができるので、張替え作業の安全に資することができる。
【００１５】
本発明における第２の発明は、上記第１の発明における「前記パイロットロープ張線工程において、前記パイロットロープ１４を、前記受け柱２６及び前記送り柱２４に固定する際に、前記旧線１６よりも上方であって、前記カバー部材１０の内部底面に前記旧線１６が接する高さに固定する」ことを特徴とするもので、これにより、新線３０を旧線１６と略同じ高さ位置にて簡単に架設することができるようになる。
【００１６】
本発明における第３の発明は、上記第１又は第２の発明に係る電柱間架設線の張替え工法を実行可能な張替え工具、すなわち電柱間架設線の張替えに用いる張替え工具に関するもので、
（１）プラスチックからなり長手方向全長に亘りスリット１８が設けられ、電柱間に張設された旧線１６に前記スリット１８を通って取り付けられる筒状の本体１０ａと、前記本体１０ａの長手方向両端部において前記スリット１８に沿って前記本体１０ａの径方向に突出すると共に前記スリット１８を介して対面する一対の舌片部２０と、前記一対の舌片部２０を前記本体１０ａの周方向にて貫通する貫通孔２２とを有するカバー部材１０、
（２）電柱間に架設されるパイロットロープ１４、及び
（３）前記貫通孔２２に着脱可能で、電柱間に架設されたパイロットロープ１４が挿通され、カバー部材１０をパイロットロープ１４に吊り下げる吊金具１２とで構成された
（４）ことを特徴とする張替え工具、である。
【００１７】
本発明における第４の発明は、上記第３の発明において、「前記吊金具１２は、カラビナ構造を有する上下２段の環状部１２ａ、１２ｂからなり、一方の環状部１２ａは貫通孔２２に着脱され、他方の環状部１２ｂには前記パイロットロープ１４が係止或いは挿通される」ことを特徴とする。
【００１８】
本発明における第５の発明は、上記第３又は第４の発明において「前記パイロットロープ１４がスーパー繊維で構成されている」ことを特徴とするもので、これによりパイロットロープ１４をワイヤ製のものに比べて軽量にできるので、電柱２４の上まで比較的容易且つ安全に持ち上げることができると共に、その機械的強度がワイヤ製のものと同等以上になることから、このパイロットロープ１４を電柱２４、２６に固定する際、張替え対象である旧線１６のテンションと略同じテンションで固定することができるようになる。つまり、このパイロットロープ１４が仮支線(旧線から新線への張替えの間、電柱間の張力が変化しないように張られる仮設の支線)として機能するようになることから、わざわざ別途仮支線を架設する必要がなくなり、工事時間の短縮を図ることができるようになる。
【００１９】
なお、パイロットロープ１４を構成する「スーパー繊維」とは、単糸強度で約２ＧＰａ以上、弾性率で約５０ＧＰａ以上の高強度・高弾性率の性能を有する繊維を云い、具体的には、パラ系アラミド繊維、超高分子量ポリエチレン繊維、ポリアリレート繊維及びＰＢＯ繊維などを挙げることができる。
【発明の効果】
【００２０】
本発明によれば、新線への張替え時に旧線や新線等が電柱間に垂れ下がることがなく、交通量が多い道路横断箇所や民地の上空であっても何不自由なく張替え作業できるのに加え、安全性や作業効率にも優れた電柱間架設線の張替え工法と、係る工法を実行可能な張替え工具とを提供することができる。
【図面の簡単な説明】
【００２１】
【図１】本発明の電柱間架設線の張替え工法に用いるカバー部材を示すもので、(a)は部分省略正面図、(b)は(a)におけるＡ矢視図、(c)は(a)におけるＸ−Ｘ断面図、(d)は(a)におけるＢ矢視図である。
【図２】本発明の電柱間架設線の張替え工法に用いる吊金具とその適用方法を示す説明図である。
【図３】本発明の電柱間架設線の張替え工法(前半)の一例を示す説明図である。
【図４】本発明の電柱間架設線の張替え工法(後半)の一例を示す説明図である。
【発明を実施するための形態】
【００２２】
以下、本発明を図面に従って詳述する。図１及び図２は、本発明の電柱間架設線の張替え工法に用いる張替え工具のうち、カバー部材１０(図１)及び吊金具１２(図２)を示すものである。なお、本発明の電柱間架設線の張替え工法に用いる張替え工具は、上記カバー部材１０及び吊金具１２に加えてパイロットロープ１４(図３参照)で構成されている。
【００２３】
カバー部材１０は、張替え対象となる旧線１６を被覆する管状部材で、プラスチックからなり長手方向全長に亘ってスリット１８が設けられた筒状の本体１０ａを有する。この本体１０ａの長手方向一端側には雄型継手部１０ｂが形成されており、長手方向他端側には雌型継手部１０ｃが形成されている。
【００２４】
雄型継手部１０ｂは、本体１０ａの長手方向一端側の外径が一段小さくなるように形成された細径部１０ｂ１と、この細径部１０ｂ１の先端で外径が拡大した基部からさらに先端に向けて(その外径が)テーパー状に縮径したテーパー部１０ｂ２とを有する。
【００２５】
雌型継手部１０ｃは、本体１０ａの長手方向他端がフレア状に開口し、隣接するカバー部材１０の雄型継手部１０ｂを挿入する際に、当該雄型継手部１０ｂを本体１０ａの内部へとスムーズに案内するフレア部１０ｃ１と、本体１０ａの内径が環状に拡大し、隣接するカバー部材１０の雄型継手部１０ｂを嵌め込んだ際に、該雄型継手部１０ｂのテーパー部１０ｂ２が簡単に抜け出ないようにこれを収容する凹条が内周面全周に形成された収容部１０ｃ２とを有する。
【００２６】
なお、図１中の符号１１は、カバー部材１０の軽量化を図るために穿設された開孔である。
【００２７】
また、本体１０ａの雄型継手部１０ｂ及び雌型継手部１０ｃのそれぞれには、スリット１８に沿って本体１０ａの径方向に突出すると共にスリット１８を介して対面する一対の舌片部２０が設けられている。この舌片部２０は、隣接するカバー部材１０の雄型継手部１０ｂと雌型継手部１０ｃとを係合させた際、４枚の舌片部２０全てが本体１０ａの周方向で重なり合うように構成されており、これら４枚の舌片部２０の全てを本体１０ａの周方向にて貫通するように長孔状の貫通孔２２が形成されている。なお、この貫通孔２２には、後述するように吊金具１２が着脱される。
【００２８】
ここで、このカバー部材１０を構成するプラスチックとしては、耐候性や機械的強度に優れ且つ低比重のポリエチレンを用いるのが好ましいが、これに限定されるものではない。
【００２９】
また、このカバー部材１０は、電柱の高い位置にまで持ち上げて使用するものであることから、カバー部材１０の本体１０ａは、図１(a)で示すようにメッシュ構造にして軽量化を図るのが好ましい。
【００３０】
さらに、このカバー部材１０の内径は、水平支線Ｈに取り付けられている玉碍子Ｇ(図３及び４参照)の外径よりも若干大きくなるような寸法、例えば９５±２ｍｍ前後に形成するのが好ましい。このような内径とすることによって、玉碍子Ｇがカバー部材１０内部を簡単に通り抜けできるようになり、玉碍子Ｇが取り付けられた水平支線Ｈの張替えもストレスなく実施することができるようになる。
【００３１】
吊金具１２は、カラビナ構造を有する上下２段の環状部１２ａ、１２ｂからなり、一方の環状部１２ａは、図２に示すように三角形状に形成されており、隣接するカバー部材１０の雄型継手部１０ｂと雌型継手部１０ｃとを係合させて両者を連結する際に、スリット１８が閉じた状態を保持するようにして貫通孔２２に取り付けられ、カバー部材１０の連結部分の抜け落ちを防止する。本実施例の吊金具１２では、三角形状に形成された環状部１２ａの底辺１２ａ２内側の長さが、雄型継手部１０ｂと雌型継手部１０ｃとを連結して重ね合わせた４枚の舌片部２０の幅と略等しくなるように形成されているので、雄型継手部１０ｂと雌型継手部１０ｃとを連結して４枚重ね合わせた舌片部２０の貫通孔２２に、カラビナ構造のゲート１２ａ１を開けてこの環状部１２ａの底辺１２ａ２を挿通して取り付けると、スリット１８が閉じた状態で保持されるようになる。
【００３２】
一方、他方の環状部１２ｂは楕円形状或いは円形状に形成されており、カラビナ構造のゲート１２ｂ１を介してパイロットロープ１４が係止或いは挿通される。
【００３３】
なお、吊金具１２の形状は、上述のものに限定されるものではなく、電柱間に架設されたパイロットロープ１４が挿通され、カバー部材１０をパイロットロープ１４に吊り下げる形状の物であれば如何なるもの(例えば、単一のリング或いはカラビナからなるもの等)であってもよい。
【００３４】
パイロットロープ１４は、吊金具１２を介して旧線１６を被覆したカバー部材１０を電柱２４、２６の所定高さに吊持すると共に、電柱２４、２６間に所定の張力を与える仮支線としても機能する線材で、スーパー繊維からなる引張強さ３０ｋＮ以上のものを用いるのが好ましい。
【００３５】
ここで、パイロットロープ１４を構成するスーパー繊維とは、上述したように、単糸強度で約２ＧＰａ以上、弾性率で約５０ＧＰａ以上の高強度・高弾性率の性能を有する繊維を云い、具体的には、パラ系アラミド繊維、超高分子量ポリエチレン繊維、ポリアリレート繊維及びＰＢＯ繊維などを挙げることができる。
【００３６】
以上のように構成された張替え工具を用いて施工する本発明の電柱間架設線の張替え工法は、「カバー部材取付工程」「パイロットロープ張線工程」「架設線取替工程」及び「張替え工具撤去工程」がこの順に実行される。以下、本発明の電柱間架設線の張替え工法の一例について、図３及び４に示す水平支線Ｈの張替えを例にして詳細に説明する。なお、図３及び４中の符号Ｇは玉碍子であり、符号Ｌは支線バンドである。
【００３７】
「カバー部材取付工程」は、撤去すべき電柱間架設線、具体的には水平支線Ｈの旧線１６に、送り柱２４側から、長手方向にスリット１８を有するカバー部材１０を順次被着させ、隣接するカバー部材１０端部の雄型継手部１０ｂと雌型継手部１０ｃとを嵌め合せて連結させながら受け柱２６側へと送り出す工程である(図３(a)参照)。この際、カバー部材１０の長手方向両端部は、スリット１８が閉じた状態を保持するよう貫通孔２２に吊金具１２の一方の環状部１２ａを取り付ける。又、最も受け柱２６側にあるカバー部材１０先端Ｆ側の貫通孔２２に取り付けられた吊金具１２の他方の環状部１２ｂには、(図示しないが)環状に形成されたパイロットロープ１４の先端が係止されており、これ以外の吊金具１２の他方の環状部１２ｂには、カラビナ構造のゲート１２ｂ１を介してパイロットロープ１４が挿通されている。これにより、カバー部材１０の受け柱２６側への送り出しと同時に、パイロットロープ１４も受け柱２６側へと送り出されるようになっている。なお、パイロットロープ１４の先端を環状とせず、最も受け柱２６側にある吊金具１２にパイロットロープ１４の先端を結び付けるようにしてもよい。
【００３８】
「パイロットロープ張線工程」は、受け柱２６の旧線１６よりも上方にパイロットロープ１４の先端を固定すると共に、旧線１６のテンションと略等しくなるよう張線したパイロットロープ１４の根元側を送り柱２４の旧線１６よりも上方に固定する工程である。
【００３９】
具体的には、カバー部材１０と共に受け柱２６側へと到達したパイロットロープ１４の先端と吊金具１２との係合を解き、他の吊金具１２と同様に環状部１２ｂにパイロットロープ１４を挿通させた上で(図３(b)参照)、このパイロットロープ１４の先端を、受け柱２６の旧線１６よりも高い位置に固定する。一方、送り柱２４側では、受け柱２６側と同様に旧線１６よりも高い位置に張線器２８を取り付けた後、この張線器２８にパイロットロープ１４の根元側を取り付け、該パイロットロープ１４のテンションが旧線１６のテンションと略等しくなるように張線して固定する(図３(c)参照)。
【００４０】
「架設線取替工程」は、送り柱２４における旧線１６の固定を解くと共に、解いた旧線１６の端部に新設する新線３０の先端を連結し、カバー部材１０の内部を通して旧線１６を受け柱２６側に引き抜くと同時に新線３０を受け柱２６側へと送り出し、受け柱２６に新線３０の先端を固定すると共に、所定のテンションに張線した新線３０の後端を送り柱２４に固定する工程である。
【００４１】
具体的には、送り柱２４及び受け柱２６における支線バンドＬと旧線１６との固定を解くと共に、旧線１６の送り柱２４側の端部に新設する新線３０の先端を連結し、カバー部材１０の内部を通して旧線１６を受け柱２６側に引き抜くと同時に新線３０を受け柱２６側へと送り出す(図４(a)参照)。そして、受け柱２６の旧線１６が取り付けられていた支線バンドＬに新線３０の先端を固定すると共に(尤も支線バンドＬが劣化している場合にはこれを交換する。)、送り柱２４の支線バンドＬ近傍に張線器３２を取り付けた後、この張線器３２を用いて新線３０が所定のテンションとなるように張線し、送り柱２４の支線バンドＬに張線した新線３０を固定する。
【００４２】
なお、旧線１６の引き抜きと新線３０の送り出しを行なう際に、(図示しないが)送り柱２４及び受け柱２６における支線バンドＬ近傍の旧線１６取付高さと同等かやや高い位置に直付ローラを取り付けるのが作業効率の点でより好適である。
【００４３】
「張替え工具撤去工程」は、受け柱２６及び送り柱２４におけるパイロットロープ１４の固定を解くと共に、カバー部材１０、吊金具１２及びパイロットロープ１４を送り柱２４側へと引き戻しつつ撤去する工程であり、これにより本実施例の電極間架設線の張替え工法が完了する。このように、「カバー部材１０、吊金具１２及びパイロットロープ１４を送り柱２４側へと引き戻しつつ撤去する」ことにより、長尺のパイロットロープ１４を切断することなく繰り返し使用することができるが、パイロットロープ１４の余尺が少ない場合やパイロットロープ１４の再使用が不要である場合等には、カバー部材１０、吊金具１２及びパイロットロープ１４と云った張替え工具を受け柱２６側で引き取るようにしてもよい。
【００４４】
以上のように、本実施例の電柱間架設線の張替え工法によれば、撤去すべき旧線１６に、送り柱２４側から受け柱２６側に向けてプラスチック製の筒状のカバー部材１０を順次被着させ、このカバー部材１０の内部を通して旧線１６と新線３０との張替えを行なうので、電柱２４、２６間に電柱間架設線等が垂れ下がることがなく、旧線１６と同じ位置に新線３０を張替えることができるのに加え、旧線１６に被着させるカバー部材１０は、軽量なプラスチック製であり、電柱２４の上まで比較的容易に持ち上げることができるので、張替え作業の安全に資することができる。
【００４５】
また、カバー部材１０の長手方向両端部には吊金具１２が取り付けられており、この吊金具１２を介してカバー部材１０と共にパイロットロープ１４が受け柱２６側へと送り出されるようになっている。そして、この受け柱２６側へと送り出されたパイロットロープ１４は旧線１６よりも上方で電柱に固定される。このため、受け柱２６及び送り柱２４間にパイロットロープ１４が架設された状態では、カバー部材１０のスリット１８が上方に配置されるようになる。そうすると、カバー部材１０の内部を通して旧線１６を引き抜き、或いは新線３０を送り出す際に、これら張替え対象の電柱間架設線がスリット１８に引っ掛かって作業効率が低下するのを防止することができる。
【００４６】
さらに、このパイロットロープ１４を電柱２４、２６に固定する際に、張替え対象である旧線１６のテンションと略同じテンションとなるように固定しているので、このパイロットロープ１４が仮支線としても機能するようになる。その結果、わざわざ別途仮支線を架設する必要がなくなり、工事時間の短縮を図ることができるようになる。
【００４７】
なお、上述の実施例では、張替えられる電柱間架設線が水平支線Ｈの場合を例示したが、電柱間架設線はこの水平支線に限定されるものではなく、柱間支線や引留支線(Ｙ支線)或いは電線や通信線などであってもよい。
【００４８】
また、上述の例では、カバー部材１０として本体１０ａの長手方向端部に雄型継手部１０ｂ及び雌型継手部１０ｃが形成されている物を示したが、カバー部材１０にこのような継手部１０ｂ、１０ｃが設けられていない物を用いるようにしてもよい。但し、本体１０ａの長手方向端部に雄型継手部１０ｂ及び雌型継手部１０ｃを設けることによって、隣接するカバー部材１０同士の継ぎ目を解消することができ、張替え対象の電柱間架設線がカバー部材１０の内部をスムーズに通過することができるようになる。
【符号の説明】
【００４９】
１０…カバー部材
１０ａ…本体
１０ｂ…雄型継手部
１０ｃ…雌型継手部
１２…吊金具
１２ａ,１２ｂ…環状部
１４…パイロットロープ
１６…旧線
１８…スリット
２０…舌片部
２２…貫通孔
２４…送り柱(電柱)
２６…受け柱(電柱)
２８…張線器(パイロットロープ用)
３０…新線
３２…張線器(新線用)
Ｈ…水平支線
Ｌ…支線バンド
Ｇ…玉碍子
【図１】
0005559092.tif 000002
【図２】
0005559092.tif 000003
【図３】
0005559092.tif 000004
【図４】
0005559092.tif 000005